(57)【要約】【課題】所望の構図の画像を表示手段の画面上で選定することができる撮像装置を提供する。【解決手段】デジタルカメラは、表示モニタ１１に被写体を表示する。そして、シャッターボタン９が押されると、デジタルカメラは、第１画像データＤ１を作成するとともに、同第１画像データＤ１を内蔵メモリに一時保持し、さらに、同第１画像データＤ１に基づいた画像を表示モニタ１１に表示する。タッチパネル１２にてスクロール操作が行われると、それに応じた画像を表示モニタ１１に表示する。次に、記録ボタン１３が押されると、デジタルカメラは、表示モニタ１１に表示されている画像と同じ構図の第２画像データＤ２を作成し前記フラッシュメモリ１８に記録する。【選択図】        図２
2004297585.tif 000002
【特許請求の範囲】
【請求項１】
表示手段と、
画像を撮像する撮像手段と、
前記撮像手段が撮像した画像の第１画像データを記憶する記憶手段と、
前記第１画像データの画像の一部を前記表示手段の画面に表示させるために、同第１画像データからその一部を抽出して第２画像データを作成する表示データ作成手段と、
前記表示データ作成手段にて作成した第２画像データに基づいて同第２画像データの画像を前記表示手段の画面に表示させる表示制御手段と、
前記表示手段の画面に表示される前記第２画像データの画像を記憶するために前記第２画像データを登録する登録手段と
を備えた撮像装置において、
前記表示データ作成手段に対して前記第１画像データにおける前記第２画像データの抽出範囲を変更させるための変更手段を設けたことを特徴とする撮像装置。
【請求項２】
請求項１に記載の撮像装置において、
前記登録手段は、可搬性の記憶媒体に記憶させる書き込み手段であることを特徴とする撮像装置。
【請求項３】
請求項２に記載の撮像装置において、
前記可搬性の記憶媒体は、フラッシュメモリであることを特徴とする撮像装置。
【請求項４】
請求項１〜３に記載の撮像装置において、
前記変更手段は、
前記表示手段の画面のスクロール方向を指示する操作スイッチと、
前記操作スイッチの検出信号に基づいて前記抽出範囲を特定する制御手段とからなることを特徴とする撮像装置。
【請求項５】
請求項１〜４に記載の撮像装置において、
前記操作スイッチは、タッチパネルであることを特徴とする撮像装置。
【発明の詳細な説明】
【０００１】
【発明の属する技術分野】
本発明は、撮像装置に関する。
【０００２】
【従来の技術】
従来、撮像装置として、デジタルカメラが広く知られている。
このデジタルカメラは、被写体を撮像部にて撮像し、電気信号に変換した後、そのデジタルカメラの本体内に設けられた内部メモリ領域、又は、同本体に着脱可能に設けられた外部メモリ領域に画像データとして記録する。この種のデジタルカメラは、一般に、その本体に画像データをデジタル画像として表示するための表示モニタを有している。また、デジタルカメラは、撮像の際に表示モニタに表示された被写体を目視し、本体に設けられたシャッターボタンを押すことによって、表示モニタに表示された被写体と同様の構図で撮像し、画像データとして記録することができる。
【０００３】
このような、表示モニタを備えたデジタルカメラが種々提案されている。（例えば特許文献１）
特許文献１では、デジタルカメラの本体に複数の入力キーを備えている。そして、複数の入力キーは、同本体の表示モニタの縁部に位置し、表示モニタに表示される同デジタルカメラの操作を示す複数のアイコンの近傍にそれぞれ設けられている。そして、アイコンの近傍に位置する入力キーを操作することによって、そのアイコンを実行するように構成されている。つまり、表示モニタに表示されたアイコンの近傍に位置する入力キーを押すことによって、そのアイコンが実行されるので、操作がわかりやすくなっている。
【０００４】
【特許文献１】
特開２０００−３５８１８２号公報
【０００５】
【発明が解決しようとする課題】
しかしながら、特許文献１のデジタルカメラでは、撮像する際の被写体に対する撮像位置によっては、撮像した画像データが所望の構図になってないことや、被写体以外のものが撮像され記録されてしまうことがあった。そして、このように記録された画像データは、パソコン等の画像編集機能を持つ装置によって編集された後、プリンタ等の出力装置によって、記録紙に印刷されていた。
【０００６】
つまり、所望の構図になっていない画像データや、被写体以外のものが撮像された画像データは、印刷を行う際に前処理として編集を行わなければならないので、手間を有していた。また、印刷を行うために、所望の構図となるように編集した結果、記録紙のサイズに整合しないということがあった。
【０００７】
本発明は、上記問題点を解消するためになされたものであって、その目的は、所望の構図の画像を表示手段の画面上で選定することができる撮像装置を提供することにある。
【０００８】
【課題を解決するための手段】
本発明の撮像装置は、表示手段と、画像を撮像する撮像手段と、前記撮像手段が撮像した画像の第１画像データを記憶する記憶手段と、前記第１画像データの画像の一部を前記表示手段の画面に表示させるために、同第１画像データからその一部を抽出して第２画像データを作成する表示データ作成手段と、前記表示データ作成手段にて作成した第２画像データに基づいて同第２画像データの画像を前記表示手段の画面に表示させる表示制御手段と、前記表示手段の画面に表示される前記第２画像データの画像を記憶するために前記第２画像データを登録する登録手段とを備えた撮像装置において、前記表示データ作成手段に対して前記第１画像データにおける前記第２画像データの抽出範囲を変更させるための変更手段を設けた。
【０００９】
これによれば、前記撮像装置は、変更手段によって、撮像手段が撮像した画像の範囲において、所望の構図の画像を表示手段の画面上で選定することができる。
【００１０】
この撮像装置は、前記登録手段は、可搬性の記憶媒体に記憶させる書き込み手段である。
これによれば、表示手段の画面上で選定した所望の構図の画像における第２画像データは、可搬性の記憶媒体に記憶させることができるため、他の装置、例えばプリンタに第２画像データを取り込んで所望の構図の画像を印刷することができる。
【００１１】
この撮像装置は、前記可搬性の記憶媒体は、フラッシュメモリである。
これによれば、フラッシュメモリに表示手段の画面上で選定した所望の構図の画像における第２画像データを記憶させることができる。
【００１２】
この撮像装置は、前記変更手段は、前記表示手段の画面のスクロール方向を指示する操作スイッチと、前記操作スイッチの検出信号に基づいて前記抽出範囲を特定する制御手段とからなる。
【００１３】
これによれば、操作スイッチを操作することによって、制御手段は、そのスクロール方向を判断し抽出範囲を特定するため、表示データ作成手段は、その操作スイッチの操作に従った画像を表示手段の画面に表示させる第２画像データを作成することができる。
【００１４】
この撮像装置は、前記操作スイッチは、タッチパネルである。
これによれば、タッチパネルにタッチしたことによって得られる検出信号に基づいて制御手段は、そのスクロール方向を判断し抽出範囲を特定するため、表示データ作成手段は、タッチパネルのタッチに従った画像を表示手段の画面に表示させる第２画像データを生成することができる。
【００１５】
【発明の実施の形態】
以下、本発明の撮像装置をデジタルカメラに具体化した本実施形態を図１〜図７に従って説明する。
【００１６】
図１は、本発明におけるデジタルカメラの概略を説明するための正面図である。図２は、同デジタルカメラの概略を説明するための斜視図である。
図１に示すように、撮像装置としてのデジタルカメラ１は、把持可能なサイズであって、その正面２には、撮像手段としての撮像部３が設けられている。撮像部３は、撮像レンズ４を有し、撮像レンズ４の後方（本体内部）には、撮像素子５（図３参照）が配設されている。また、前記正面２の右上隅部には、補助発光器６が配設されている。そして、前記デジタルカメラ１の上面７には、電源ボタン８及びシャッターボタン９が配設されている。電源ボタン８は、前記デジタルカメラ１の電源の投入または、切断を行う際に押されるボタンである。シャッターボタン９は、前記撮像部３を介して撮像される被写体を静止画の第１画像データＤ１として作成するためのボタンである。
【００１７】
次に、図２に示すように、前記デジタルカメラ１の背面１０には、表示手段としての表示モニタ１１が設けられている。前記表示モニタ１１は、例えば液晶ディスプレイにより構成されている。前記表示モニタ１１は、撮像される被写体、前記第１画像データＤ１に基づく画像を表示するためのモニタである。また、本実施形態では、前記表示モニタ１１は、撮像される被写体、前記第１画像データＤ１に基づく画像を表示するためのモニタとしたが、この限りではなく、前記デジタルカメラ１を操作するためのメニュー画面等を表示してもよい。
【００１８】
前記表示モニタ１１の上面には、光透過性を有する変更手段としてのタッチパネル１２が、同表示モニタ１１を被覆するように配設されている。前記タッチパネル１２は、前記第１画像データＤ１に基づく画像を前記表示モニタ１１にスクロール表示するためのものである。
【００１９】
次に、前記背面１０の表示モニタ１１の右縁部には、記録ボタン１３が配設されている。前記記録ボタン１３は、前記表示モニタ１１に表示される画像に基づいて前記第１画像データＤ１から新たな第２画像データＤ２を作成するためのボタンである。そして、前記背面１０の記録ボタン１３の下部には、キャンセルボタン１４が配設されている。前記キャンセルボタン１４は、前記デジタルカメラ１を撮像準備状態にするためのボタンである。撮像準備状態とは、前記撮像部３を介して前記表示モニタ１１に被写体が表示されている状態であり、前記シャッターボタン９を押下することによって撮像することができる。
【００２０】
また、前記背面１０のキャンセルボタン１４の下部には、ストロボボタン１５が配設されている。前記ストロボボタン１５は、シャッターボタン９が押されるときに前記補助発光器６から光（フラッシュ）を発生するように設定するため及び設定を解除するためのボタンである。
【００２１】
さらに、デジタルカメラ１の右側面１６には、カードスロット１７が配設されている。前記カードスロット１７は、登録手段及び記録媒体としてのフラッシュメモリ１８を着脱可能に前記デジタルカメラ１に挿設するためのスロットである。そして、前記フラッシュメモリ１８は、書き込み手段として上述した前記第２画像データＤ２を記憶するためのものである。このフラッシュメモリ１８は、プリンタ等の出力表示装置に装着可能であって、前記第２画像データＤ２に基づく画像をプリンタにより記録紙等に印刷することができる。
【００２２】
次に、図３に従って、デジタルカメラ１の電気的構成について説明する。図３は、本実施形態におけるデジタルカメラの電気的構成を説明するためのブロック図である。
【００２３】
図３に示すように、前記デジタルカメラ１は、表示データ作成手段及び表示制御手段としての制御部２０、内蔵メモリ２１、モニタ駆動部２２、操作部２３、電源回路２４、外部記憶用インターフェイス部２５を備えている。
【００２４】
前記制御部２０は、前記各要素（撮像部３、内蔵メモリ２１〜外部記憶用インターフェイス部２５）の間でデータの送受信を行い制御するためのコンピュータである。前記制御部２０は、図示しないリードオンリメモリ（ＲＯＭ）、ランダムアクセスメモリ（ＲＡＭ）中央演算処理装置（ＣＰＵ）を備えている。
【００２５】
前記ＲＯＭには、ＣＰＵが実行する操作プログラム、画像データ作成プログラム等の各種プログラムが記憶されている。操作プログラムは、前記デジタルカメラ１を操作するためのプログラムである。画像データ作成プログラムは、前記第１画像データＤ１及び第２画像データＤ２を作成するためのプログラムである。また、前記ＲＡＭには、前記画像データ作成プログラムを実行する際に、ＣＰＵが実行した演算処理を一時記憶する。
【００２６】
そして、前記制御部２０は、前記撮像部３の撮像素子５と接続されている。撮像素子５は、レンズ４を介して撮像した画像を電気信号に変換させ前記第１画像データＤ１として制御部２０に出力する。制御部２０は、その第１画像データＤ１を内蔵メモリ２１に一時記憶させる。制御部２０は、前記モニタ駆動部２２を介して前記表示モニタ１１を表示制御する。前記制御部２０は、前記内蔵メモリ２１に記憶した撮像素子５からの第１画像データＤ１の一部を切り出してその切り出した画像データ（第２画像データ）の基づく画像を表示モニタ１１に表示する。つまり、撮像素子５が撮像した画像の一部が前記表示モニタ１１の画面に表示されるようになっている。
【００２７】
詳述すると、図４に示すように、今、撮像素子５が範囲Ｘ１×Ｙ１の画像Ｇ１を撮像しているとき、制御部２０は、範囲Ｘ１×Ｙ１の画像Ｇ１中から範囲Ｘ２×Ｙ２の画像Ｇ２を切り出し表示するものである。そのために、制御部２０は、画像Ｇ１の第１画像データから、画像Ｇ１の第１画像データＤ１から、画像Ｇ１中の範囲Ｘ２×Ｙ２にある画像データを抽出する。そして、制御部２０は、その抽出した画像データを第２画像データＤ２としてモニタ駆動部２２に出力して第２画像データＤ２の画像Ｇ２を表示モニタ１１に表示する。
【００２８】
この制御部２０による抽出範囲の決定は、第１画像データＤ１における画像Ｇ１に原点位置（図４において左上角）Ｐ１に対する、第２画像データＤ２における画像Ｇ２の原点位置（図４において左上角）Ｐ２を特定することによって決定される。つまり、原点位置Ｐ１のｘｙ座標の原点とすると、画像Ｇ２の原点位置Ｐ２の座標位置（ｘａ，ｙａ）を指定する。これによって、原点位置Ｐ２からｘ方向にＸ２ある位置Ｐ２ａ（座標；ｘａ＋Ｘ２，ｙａ）と、ｙ方向にＹ２ある位置Ｐ２ｂ（座標；ｘａ，ｙａ＋Ｙ２）、及び、原点位置Ｐ２に対して対角線上にある位置Ｐ２ｃ（座標；ｘａ＋Ｘ２，ｙａ＋Ｙ２）が求められる。そして、制御部２０は、第１画像データＤ１において、位置Ｐ２，Ｐ２ａ，Ｐ２ｂ，Ｐ２ｃで規定された範囲にある画像データが第２画像データＤ２として切り出すようにしている。そして、本実施形態では、電源を投入した後の初期設定後の第２画像データＤ２の原点位置Ｐ２の座標位置は予め設定されていて、初期設定されると、第１画像データＤ１に対して常に所定の抽出範囲の画像データが第２画像データＤ２として抽出され表示モニタ１１に表示される。
【００２９】
制御部２０は、前記表示モニタ１１上のタッチパネル１２と接続されている。制御部２０は、タッチパネル１２からの指が触れたか否かの検知信号を入力する。そして、制御部２０は、指でタッチパネル１２（モニタ画面）上を所定方向に摺動させると、タッチパネル１２からの検知信号に基づいて指の移動方向とその移動距離を算出する。制御部２０は、算出した移動方向とその移動距離に基づいて第２画像データＤ２の抽出範囲を算出する。つまり、制御部２０は、表示モニタ１１に表示されている第２画像データＤ２の画像Ｇ２上でタッチ操作すると、その移動方向と移動距離に基づいて新たな第２画像データＤ２における画像Ｇ２の原点位置Ｐ２を特定する。そして、その新たな原点位置Ｐ２に基づいて新たな第２画像データＤ２が抽出され表示モニタ１１に表示される。つまり、タッチ操作することにより、表示モニタ１１に表示される画像Ｇ２を第１画像データＤ１の画像Ｇ１の範囲でスクロールすることができる。
【００３０】
前記外部記憶用インターフェイス部２５は、前記制御部２０と前記カードスロット１７に挿設されるフラッシュメモリ１８とを電気的に接続するためのインターフェイス部である。前記制御部２０は、前記シャッターボタン９、前記記録ボタン１３、前記キャンセルボタン１４、前記ストロボボタン１５とが前記操作部２３を介して接続されている。前記操作部２３は、前記ボタン９，１３〜１５の各操作信号を前記制御部２０に入力するものであって、前記各ボタン９，１３〜１５の何れかが押されると、これに応じて、前記制御部２０に操作信号を出力する。前記電源回路２４は、前記デジタルカメラ１の各要素（撮像部３、補助発光器６、制御部２０〜操作部２３、外部記憶用インターフェイス部２５）に所定の駆動電圧を供給するための電源回路であって、前記電源ボタン８が押されると所定の駆動電圧を出力する。
【００３１】
一方、前記制御部２０は、前記撮像部３と接続されている。前記撮像部３の撮像レンズ４に入射した光は、前記撮像素子５にて電気信号に変換され前記第１画像データＤ１として前記制御部２０に出力される。本実施形態では、前記撮像素子５は、電荷結合素子（ＣＣＤ）を用いる。
【００３２】
以上のように構成されたデジタルカメラ１の電気的作用を図４〜図６に従って説明する。図４は、第１画像データＤ１の画像と第２画像データＤ２の画像との関係を説明するための説明図である。図５は、同デジタルカメラのタッチパネルの動作を説明するための説明図である。図６は、同デジタルカメラのタッチパネルの動作を説明するための説明図である。
【００３３】
前記デジタルカメラ１は、前記電源ボタン８がオンされると、前記電源回路２４は、所定の駆動電圧を供給しデジタルカメラ１は、オンされる。そして、前記制御部２０は、ＲＯＭに記憶された操作プログラムによって、内蔵メモリ２１をクリアして、前記デジタルカメラ１を撮像準備状態にする。撮像準備状態になると、前記制御部２０は、前記撮像部３の撮像素子５からの第１画像データＤ１に基づいて第２画像データＤ２を作成し、同第２画像データＤ２を前記モニタ駆動部２２を介して前記表示モニタ１１に出力する。従って、前記表示モニタ１１には、撮像準備状態において、第１画像データＤ１の画像Ｇ１の一部であるＧ２が表示される。
【００３４】
この撮像準備状態から、前記シャッターボタン９が押されると、制御部２０は、画像データ作成プログラムに基づいてその時の第１画像データＤ１を静止画として内蔵メモリ２１に記憶する。そして、その第１画像データＤ１から第２画像データＤ２を抽出し、同第２画像データＤ２に基づく画像Ｇ２を静止画として表示モニタ１１に表示する。
【００３５】
そして、図５に示すように、指２６をタッチパネル１２にタッチし摺動させると、制御部２０は表示モニタ１１に第１画像データＤ１の画像Ｇ１の範囲でスクロール表示させる。つまり、撮像素子５が撮像した画像Ｇ１の範囲において、所望の構図の画像Ｇ２を選定する。
【００３６】
そして、図６に示すように、所望の構図の画像Ｇ２が選定されると、記録ボタン１３が押される。制御部２０は、記録ボタン１３の操作信号に応答して表示モニタ１１の画像Ｇ２（選定した構図）の第２画像データＤ２をフラッシュメモリ１８に記録した後、撮像準備状態に戻る。
【００３７】
次に、フラッシュメモリ１８に記憶した第２画像データＤ２の画像Ｇ２を印刷する場合について説明する。
図７に示すように、前記第２画像データＤ２が記録されたフラッシュメモリ１８を前記デジタルカメラ１から取り出して、プリンタ３０に装填する。プリンタ３０は、その本体３１の内部に設けられた図示しないヘッドからインク滴を記録紙３２に吐出させ記録するインクジェット式プリンタである。また、前記プリンタ３０は、その本体３１の内部に設けられた図示しないコンピュータから印刷実行命令が出力されると、同命令に応じて印刷を実行する。さらに、前記コンピュータの出力する印刷実行命令は、前記プリンタ３０がフレームサイズＸ２×Ｙ２の画像データを前記記録紙３２に整合し印刷するように設定されている。つまり、前記第２画像データＤ２のフレームサイズは、Ｘ２×Ｙ２なので、前記プリンタ３０は、前記第２画像データＤ２を前記記録紙３２に整合させ印刷することができる。前記プリンタ３０は、その本体３１にカードスロット３３を有し、そのカードスロット３３を介して、前記フラッシュメモリ１８は、装填され、同本体３１の内部に設けられた前記コンピュータに接続される。そして、前記プリンタ３０は、カードスロット３３に前記フラッシュメモリ１８が装填され、印刷実行ボタン３４が押されると、前記コンピュータは、前記フラッシュメモリ１８に記憶された第２画像データＤ２に基づいて前記印刷実行命令を出力する。従って、前記プリンタ３０は、前記印刷実行命令に応じて印刷を実行するので、同プリンタ３０は、前記フラッシュメモリ１８に記憶された第２画像データＤ２を印刷することができる。
【００３８】
以上のように構成された前記プリンタ３０に、第２画像データＤ２が記録された前記フラッシュメモリ１８を装填した後、前記印刷実行ボタン３４を押す。そして、前記プリンタ３０は、前記フラッシュメモリ１８に記憶されている第２画像データＤ２を前記記録紙３２に印刷をする。これによって、前記記録紙３２に印刷される第２画像データＤ２は、前記表示モニタ１１に表示された第２画像データに基づく画像Ｇ２と同様の構図で印刷される。
【００３９】
上記した本実施形態によれば、以下の作用効果を奏する。
（１）上記本実施形態では、前記デジタルカメラ１は、第１画像データＤ１から前記表示モニタ１１に表示されている構図で、第２画像データＤ２を作成できるように構成した。従って、スクロール操作によって、所望の構図を表示モニタ１１に表示させるとともに、第２画像データＤ２として前記フラッシュメモリ１８に記憶することができる。その結果、印刷の際に、第２画像データＤ２の構図の確認、パソコン等の画像編集装置による第２画像データを所望の構図にするための編集を行う必要がないので、操作性を向上させることができる。
【００４０】
（２）上記本実施形態では、前記デジタルカメラ１は、第１画像データＤ１のフレームサイズをＸ１×Ｙ１、第２画像データＤ２のフレームサイズをＸ２×Ｙ２とし、第１画像データＤ１のフレームサイズを第２画像データＤ２のフレームサイズより大きくなるように構成した。従って、前記表示モニタ１１に表示されなかった画像は、カットされ第２画像データＤ２に記憶されないので、必要な画像だけ第２画像データＤ２として記憶できる。その結果、前記フラッシュメモリ１８の記憶容量を有効に使用することができるので、前記デジタルカメラ１の操作性を向上させることができる。
【００４１】
（３）上記本実施形態では、前記デジタルカメラ１は、タッチパネル１２にてスクロール操作をし、記録ボタン１３を押すことによって第２画像データＤ２を前記フラッシュメモリ１８に作成し記録するように構成した。従って、第２画像データＤ２の記録の際には、前記タッチパネル１２を片手で操作し、もう一方の手で記録ボタン１３を押すことによって記録することができる。その結果、デジタルカメラ１は、両手で操作ができ、例えばデジタルカメラ１を両手で把持し、両親指で操作することができるので、安定して操作することができ、操作性が向上する。
【００４２】
尚、発明の実施の形態は、上記実施形態に限定されるものではなく、以下のように変更してもよい。
・上記本実施形態では、タッチパネル１２にてスクロール操作をしたがこの限りではなく、前記デジタルカメラ１にスクロール操作用のボタンを設けスクロール操作を行えるように適宜変更してもよい。
【００４３】
・上記本実施形態では、前記デジタルカメラ１にシャッターボタン９、記録ボタン１３、キャンセルボタン１４、ストロボボタン１５を設けたがこの限りではなく、この全部若しくは一部を前記表示モニタ１１にアイコンとして表示しタッチパネル１２にて操作できるように適宜変更してもよい。
【００４４】
・上記本実施形態では、前記デジタルカメラ１は、前記フラッシュメモリ１８に第２画像データＤ２を記憶させたが、この限りではなく、前記第１画像データＤ１及び第２画像データＤ２の両方を記憶するように適宜変更してもよい。また、前記フラッシュメモリ１８に記憶された前記画像データＤ１，Ｄ２を読み込んで表示するように適宜変更してもよい。
【００４５】
・上記本実施形態では、前記撮像装置をデジタルカメラ１に具体化したが、この限りではなく、例えばビデオカメラ等の撮像装置でもよく、同ビデオカメラに表示モニタを設け、同モニタに表示されている動画から第２画像データＤ２を作成し記録するように適宜変更してもよい。
【図面の簡単な説明】
【図１】本発明におけるデジタルカメラの概略を説明するための正面図。
【図２】同デジタルカメラの概略を説明するための斜視図。
【図３】同デジタルカメラの電気的構成を説明するためのブロック図。
【図４】同デジタルカメラの第１画像データの画像と第２画像データの画像との関係を説明するための説明図。
【図５】同デジタルカメラのタッチパネルの動作を説明するための説明図。
【図６】同デジタルカメラのタッチパネルの動作を説明するための説明図。
【図７】本実施形態におけるプリンタの概略を説明するための斜視図。
【符号の説明】
１…撮像装置としてのデジタルカメラ、３…撮像手段としての撮像部、１１…表示手段としての表示モニタ、１２…変更手段としてのタッチパネル、１８…登録手段及び記憶媒体としてのフラッシュメモリ、２０…表示データ作成手段及び表示制御手段としての制御部、２１…記憶手段としての内蔵メモリ、Ｄ１…第１画像データ、Ｄ２…第２画像データ、Ｇ１…第１画像データの画像、Ｇ２…第２画像データの画像。
【図１】
2004297585.tif 000003
【図２】
2004297585.tif 000004
【図３】
2004297585.tif 000005
【図４】
2004297585.tif 000006
【図５】
2004297585.tif 000007
【図６】
2004297585.tif 000008
【図７】
2004297585.tif 000009